【手続補正書】
【提出日】平成25年11月5日(2013.11.5)
【手続補正１】
【補正対象書類名】明細書
【補正対象項目名】０００８
【補正方法】削除
【補正の内容】
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明の目的は、像担持体の画像形成領域外に形成されるトナーパターン像の、像担持体から転写手段への飛翔を防止し、装置内の汚損を防止する転写装置および画像形成装置を提供することにある。
【手続補正５】
【補正対象書類名】明細書
【補正対象項目名】００１２
【補正方法】変更
【補正の内容】
【００１２】
この目的を達成するため、本発明は次の構成よりなる。
（１）所定方向に移動可能であって、記録媒体へ転写するための画像を形成する領域である画像形成領域に形成されるトナー像と、前記所定方向に直交する幅方向において前記画像形成領域の外側に形成されるトナーパターン像と、をそれぞれ担持可能な像担持体と、
前記記録媒体を介して前記像担持体に当接可能な転写手段と、を備え、
前記像担持体上の前記画像形成領域に担持されたトナー像を、前記像担持体と前記転写手段との間の転写位置で電界により記録媒体へ転写する転写装置において、
前記幅方向における前記画像形成領域の外側の像担持体の表面と前記転写手段との間に設けられ、前記電界を遮蔽する電界遮蔽手段を備えることを特徴とする転写装置。
【手続補正６】
【補正対象書類名】明細書
【補正対象項目名】００１３
【補正方法】変更
【補正の内容】
【００１３】
（２）前記転写手段は軸を有する転写ローラであって、
前記電界遮蔽手段は、前記画像形成領域の外側の前記軸上に設けられることを特徴とする（１）に記載の転写装置。
（３）前記電界遮蔽手段は円筒部材であって前記軸に挿嵌されることを特徴とする（２）に記載の転写装置。
（４）前記円筒部材は、前記像担持体の表面と接触しないように設けられることを特徴とする（３）に記載の転写装置。
【手続補正７】
【補正対象書類名】明細書
【補正対象項目名】００１４
【補正方法】変更
【補正の内容】
【００１４】
（５）前記円筒部材の外径は、記録媒体を介して前記像担持体に当接可能な前記転写ローラのローラ部の外径よりも小さいことを特徴とする（４）に記載の転写装置。
（６）前記円筒部材は、前記トナーパターン像を覆い得る前記幅方向の長さを有することを特徴とする（３）乃至（５）のいずれか一つに記載の転写装置。
【手続補正８】
【補正対象書類名】明細書
【補正対象項目名】００１５
【補正方法】変更
【補正の内容】
【００１５】
（７）前記電界遮蔽手段に当接可能な清掃部材を備えることを特徴とする（２）乃至（６）のいずれか一つに記載の転写装置。
（８）前記清掃部材は、前記電界遮蔽手段に当接して加圧されることにより該電界遮蔽手段表面を摺擦可能な部材であることを特徴とする（７）に記載の転写装置。
【手続補正９】
【補正対象書類名】明細書
【補正対象項目名】００１６
【補正方法】変更
【補正の内容】
【００１６】
（９）前記清掃部材として植毛または弾性体が用いられることを特徴とする（８）に記載の転写装置。
（１０）前記清掃部材は、前記電界遮蔽手段の表面に対して所定角度により先端を当接させたブレード部材であることを特徴とする（８）に記載の転写装置。
（１１）前記像担持体はベルトであり、
前記ベルトが掛け回されるとともに、前記ベルトを介して前記転写ローラに当接可能なローラ部材を備え、
前記電界遮蔽手段は前記ローラ部材と前記転写ローラとの間に設けられることを特徴とする（２）乃至（１０）のいずれか一つに記載の転写装置。
【手続補正１０】
【補正対象書類名】明細書
【補正対象項目名】００１７
【補正方法】変更
【補正の内容】
【００１７】
（１２）前記像担持体はベルトであり、
前記ベルトが掛け回されるとともに、前記ベルトを介して前記転写手段に当接可能なローラ部材を備え、
前記電界遮蔽手段は、前記ローラ部材の外周に沿って前記ベルトを覆い得る面を有することを特徴とする（１）に記載の転写装置。
（１３）前記像担持体上の前記トナー像に対して斥力を付与するバイアスを前記ローラ部材へ印加することを特徴とする（１１）または（１２）に記載の転写装置。
【手続補正１１】
【補正対象書類名】明細書
【補正対象項目名】００１８
【補正方法】変更
【補正の内容】
【００１８】
（１４）前記像担持体は、前記所定方向における同じ位置に前記トナーパターン像の少なくとも一部と前記トナー像とを担持可能であることを特徴とする（１）乃至（１３）のいずれか一つに記載の転写装置。
【手続補正１２】
【補正対象書類名】明細書
【補正対象項目名】００１９
【補正方法】変更
【補正の内容】
【００１９】
（１５）前記像担持体上に形成された前記トナーパターン像を検知する検知手段を備えることを特徴とする（１）乃至（１４）のいずれか一つに記載の転写装置。
（１６）前記検知手段は、前記所定方向において前記転写位置よりも下流側の位置の前記像担持体上に対向して設けられることを特徴とする（１５）に記載の転写装置。
（１７）前記電界遮蔽手段は、絶縁樹脂からなることを特徴とする（１）乃至（１６）のいずれか一つに記載の転写装置。
【手続補正１３】
【補正対象書類名】明細書
【補正対象項目名】００２０
【補正方法】変更
【補正の内容】
【００２０】
（１８）所定方向に回転可能であって、記録媒体へ転写するための画像を形成する領域である画像形成領域に形成されるトナー像と、前記所定方向に直交する幅方向において前記画像形成領域の外側に形成されるトナーパターン像と、をそれぞれ担持可能な像担持体と、
記録媒体を介して前記像担持体に当接可能な転写手段と、
前記像担持体と前記転写手段との間で前記像担持体上の前記画像形成領域に担持されたトナー像を記録媒体へ転写させるためのバイアスを印加可能なバイアス印加手段と、
前記幅方向における前記画像形成領域の外側の像担持体の表面と前記転写手段との間に設けられた絶縁樹脂部材と、を備えることを特徴とする転写装置。
（１９）（１）乃至（１８）のいずれか一つに記載の転写装置を用いることを特徴とする画像形成装置。
【手続補正１４】
【補正対象書類名】明細書
【補正対象項目名】００２１
【補正方法】変更
【補正の内容】
【００２１】
本発明によれば、像担持体での画像形成領域外に形成されるトナーパターン像の、像担持体から、転写手段への飛翔が防止される。これにより、装置内の汚損を防止できる。
【手続補正１５】
【補正対象書類名】明細書
【補正対象項目名】００３２
【補正方法】変更
【補正の内容】
【００３２】
以上のような構成を対象として本実施例の特徴を説明すると次の通りである。
本実施例は、像担持体として用いられる転写ベルトの画像形成領域外に画像濃度調整用のパターン像を形成し、このパターン像が対向する２次転写位置において、パターン像からのトナーが転写ローラ側に向けて飛翔するのを防止するための構成を画像形成領域に影響しない位置に設けた点を特徴としている。
なお、以下に説明する本実施例での特徴と対比するために用いられる従来技術には、転写位置で斥力を生じさせる構成が挙げられている。
つまり、ベルト上に形成されたパターン像が除電針からの放電を受けないようにトナー像と除電針との間を遮蔽する遮蔽部材を設け、画像転写時には遮蔽部材を開放して除電針からの放電を介して記録紙の分離を行う構成である。
この構成では、パターン像あるいは画像が除電針の位置に到来する時期に合わせる制御や開閉駆動するための構成が複雑となる。特に、パターン像が紙間、換言すれば、画像形成領域内に形成されることから、開閉制御は正確さを求められ、これにより構造の大型化だけでなく制御構造が複雑となる虞がある。
一方、２次転写位置後方に静電的にベルト上のトナーを吸引する関係にある集塵部材によりトナーを集塵する構成の場合には、パターン像の濃度検知を行う位置が上記集塵位置よりも後方であることから、パターン像に含まれるトナーの一部が集塵されてしまう虞がある。従って、正確の画像濃度検知が行えなくなる虞がある。
【手続補正１６】
【補正対象書類名】特許請求の範囲
【補正対象項目名】全文
【補正方法】変更
【補正の内容】
【特許請求の範囲】
【請求項１】
所定方向に移動可能であって、記録媒体へ転写するための画像を形成する領域である画像形成領域に形成されるトナー像と、前記所定方向に直交する幅方向において前記画像形成領域の外側に形成されるトナーパターン像と、をそれぞれ担持可能な像担持体と、
前記記録媒体を介して前記像担持体に当接可能な転写手段と、を備え、
前記像担持体上の前記画像形成領域に担持されたトナー像を、前記像担持体と前記転写手段との間の転写位置で電界により記録媒体へ転写する転写装置において、
前記幅方向における前記画像形成領域の外側の像担持体の表面と前記転写手段との間に設けられ、前記電界を遮蔽する電界遮蔽手段を備えることを特徴とする転写装置。
【請求項２】
前記転写手段は軸を有する転写ローラであって、
前記電界遮蔽手段は、前記画像形成領域の外側の前記軸上に設けられることを特徴とする請求項１に記載の転写装置。
【請求項３】
前記電界遮蔽手段は円筒部材であって前記軸に挿嵌されることを特徴とする請求項２に記載の転写装置。
【請求項４】
前記円筒部材は、前記像担持体の表面と接触しないように設けられることを特徴とする請求項３に記載の転写装置。
【請求項５】
前記円筒部材の外径は、記録媒体を介して前記像担持体に当接可能な前記転写ローラのローラ部の外径よりも小さいことを特徴とする請求項４に記載の転写装置。
【請求項６】
前記円筒部材は、前記トナーパターン像を覆い得る前記幅方向の長さを有することを特徴とする請求項３乃至５のいずれか一つに記載の転写装置。
【請求項７】
前記電界遮蔽手段に当接可能な清掃部材を備えることを特徴とする請求項２乃至６のいずれか一つに記載の転写装置。
【請求項８】
前記清掃部材は、前記電界遮蔽手段に当接して加圧されることにより該電界遮蔽手段表面を摺擦可能な部材であることを特徴とする請求項７に記載の転写装置。 
【請求項９】
前記清掃部材として植毛または弾性体が用いられることを特徴とする請求項８に記載の転写装置。
【請求項１０】
前記清掃部材は、前記電界遮蔽手段の表面に対して所定角度により先端を当接させたブレード部材であることを特徴とする請求項８に記載の転写装置。
【請求項１１】
前記像担持体はベルトであり、
前記ベルトが掛け回されるとともに、前記ベルトを介して前記転写ローラに当接可能なローラ部材を備え、
前記電界遮蔽手段は前記ローラ部材と前記転写ローラとの間に設けられることを特徴とする請求項２乃至１０のいずれか一つに記載の転写装置。
【請求項１２】
前記像担持体はベルトであり、
前記ベルトが掛け回されるとともに、前記ベルトを介して前記転写手段に当接可能なローラ部材を備え、
前記電界遮蔽手段は、前記ローラ部材の外周に沿って前記ベルトを覆い得る面を有することを特徴とする請求項１に記載の転写装置。
【請求項１３】
前記像担持体上の前記トナー像に対して斥力を付与するバイアスを前記ローラ部材へ印加することを特徴とする請求項１１または１２に記載の転写装置。
【請求項１４】
前記像担持体は、前記所定方向における同じ位置に前記トナーパターン像の少なくとも一部と前記トナー像とを担持可能であることを特徴とする請求項１乃至１３のいずれか一つに記載の転写装置。
【請求項１５】
前記像担持体上に形成された前記トナーパターン像を検知する検知手段を備えることを特徴とする請求項１乃至１４のいずれか一つに記載の転写装置。
【請求項１６】
前記検知手段は、前記所定方向において前記転写位置よりも下流側の位置の前記像担持体上に対向して設けられることを特徴とする請求項１５に記載の転写装置。
【請求項１７】
前記電界遮蔽手段は、絶縁樹脂からなることを特徴とする請求項１乃至１６のいずれか一つに記載の転写装置。
【請求項１８】
所定方向に回転可能であって、記録媒体へ転写するための画像を形成する領域である画像形成領域に形成されるトナー像と、前記所定方向に直交する幅方向において前記画像形成領域の外側に形成されるトナーパターン像と、をそれぞれ担持可能な像担持体と、
記録媒体を介して前記像担持体に当接可能な転写手段と、
前記像担持体と前記転写手段との間で前記像担持体上の前記画像形成領域に担持されたトナー像を記録媒体へ転写させるためのバイアスを印加可能なバイアス印加手段と、
前記幅方向における前記画像形成領域の外側の像担持体の表面と前記転写手段との間に設けられた絶縁樹脂部材と、を備えることを特徴とする転写装置。
【請求項１９】
請求項１乃至１８のいずれか一つに記載の転写装置を用いることを特徴とする画像形成装置。
【手続補正１７】
【補正対象書類名】図面
【補正対象項目名】図３
【補正方法】変更
【補正の内容】
【図３】
2012155140.tif 000001
【手続補正１８】
【補正対象書類名】図面
【補正対象項目名】図４
【補正方法】変更
【補正の内容】
【図４】
2012155140.tif 000002
【手続補正１９】
【補正対象書類名】図面
【補正対象項目名】図５
【補正方法】変更
【補正の内容】
【図５】
2012155140.tif 000003